【事件の表示】
　国際登録第８３３１４６号に係る国際商標登録出願の拒絶査定に対する審判事件について、次のとおり審決する。
【結論】
　本件審判の請求は、成り立たない。
【理由】
１　本願商標
　本願商標は、別掲１のとおり、黒色の横長の楕円形の図形中に、白抜き文字で「Ｓｃｈｏｌｌ」の欧文字を書してなり、第３類、第５類、第１０類及び第２５類に属する国際登録において指定された商品を指定商品として、２００４年２月１８日に国際登録されたものである。そして、指定商品については、平成１７年６月３日付け手続補正書により、第３類「Ｂｌｅａｃｈｉｎｇ　ｐｒｅｐａｒａｔｉｏｎｓ　ａｎｄ　ｏｔｈｅｒ　ｓｕｂｓｔａｎｃｅｓ　ｆｏｒ　ｌａｕｎｄｒｙ　ｕｓｅ；ｃｌｅａｎｉｎｇ，ｐｏｌｉｓｈｉｎｇ，ｓｃｏｕｒｉｎｇ　ａｎｄ　ａｂｒａｓｉｖｅ　ｐｒｅｐａｒａｔｉｏｎｓ；ｏｉｎｔｍｅｎｔｓ，ｎｏｎ−ｍｅｄｉｃａｔｅｄ　ｐｒｅｐａｒａｔｉｏｎｓ　ｆｏｒ　ｔｈｅ　ｃａｒｅ　ｏｆ　ｔｈｅ　ｆｅｅｔ，ｂｏｄｙ　ａｎｄ　ｓｋｉｎ　ａｎｄ　ｆｏｒ　ａｄｏｒｎｍｅｎｔ；ｃｒｅａｍｓ，ｇｅｌｓ，ｌｏｔｉｏｎｓ，ｏｉｌｓ，ｂａｌｓａｍｓ，ｐｏｗｄｅｒｓ，ｔａｌｃｕｍ　ｐｏｗｄｅｒｓ　ａｎｄ　ｓｐｒａｙｓ　ｆｏｒ　ｕｓｅ　ｏｎ　ｔｈｅ　ｆｅｅｔ，ｂｏｄｙ　ａｎｄ　ｓｋｉｎ；ｎｏｎ−ｍｅｄｉｃａｔｅｄ　ｐｒｅｐａｒａｔｉｏｎｓ　ｆｏｒ　ｔｈｅ　ｔｒｅａｔｍｅｎｔ，ｃａｒｅ，ｃｌｅａｎｓｉｎｇ，ｓｏｏｔｈｉｎｇ，ｒｅｖｉｔａｌｉｚｉｎｇ　ａｎｄ　ｒｅｌａｘｉｎｇ　ｏｆ　ｔｈｅ　ｆｅｅｔ，ｂｏｄｙ　ａｎｄ　ｓｋｉｎ；ｎｏｎ−ｍｅｄｉｃａｔｅｄ　ｐｒｅｐａｒａｔｉｏｎｓ　ｆｏｒ　ｔｈｅ　ｂａｔｈ　ｉｎ　ｔｈｅ　ｆｏｒｍ　ｏｆ　ｓａｌｔｓ，ｏｉｌｓ　ａｎｄ　ｓｏａｋｓ；ｓｏａｋｓ　ｉｎ　ｔｈｅ　ｆｏｒｍ　ｏｆ　ｔａｂｌｅｔｓ；ｎｏｎ−ｍｅｄｉｃａｔｅｄ　ｔｏｉｌｅｔ　ｐｒｅｐａｒａｔｉｏｎｓ；ｄｅｏｄｏｒａｎｔｓ；ｄｅｏｄｏｒｉｓｉｎｇ　ｃｒｅａｍｓ，ｇｅｌｓ，ｌｏｔｉｏｎｓ，ｐｏｗｅｒｓ，ｔａｌｃｕｍ　ｐｏｗｄｅｒｓ　ａｎｄ　ｓｐｒａｙｓ；ｄｅｏｄｏｒａｎｔｓ　ｉｍｐｒｅｇｎａｔｅｄ　ｉｎｔｏ　ｉｎｓｏｌｅｓ；ｐｒｅｐａｒａｔｉｏｎｓ　ａｇａｉｎｓｔ　ｐｅｒｓｐｉｒａｔｉｏｎ；ｄｅｏｄｏｒａｎｔｓ　ｆｏｒ　ｔｈｅ　ｆｅｅｔ．」、第５類「Ｍｅｄｉｃａｔｅｄ　ｐｒｅｐａｒａｔｉｏｎｓ　ｆｏｒ　ｔｈｅ　ｃａｒｅ　ｏｆ　ｔｈｅ　ｆｅｅｔ，ｂｏｄｙ　ａｎｄ　ｓｋｉｎ；ｍｅｄｉｃａｔｅｄ　ｃｒｅａｍｓ，ｇｅｌｓ，ｌｏｔｉｏｎｓ，ｏｉｌｓ，ｂａｌｓａｍｓ，ｐｏｗｄｅｒｓ，ｔａｌｃｕｍ　ｐｏｗｄｅｒｓ　ａｎｄ　ｓｐｒａｙｓ　ｆｏｒ　ｕｓｅ　ｏｎ　ｔｈｅ　ｆｅｅｔ，ｂｏｄｙ　ａｎｄ　ｓｋｉｎ；ｍｅｄｉｃａｔｅｄ　ｏｒ　ｔｈｅｒａｐｅｕｔｉｃ　ｐｒｅｐａｒａｔｉｏｎｓ　ｆｏｒ　ｔｈｅ　ｔｒｅａｔｍｅｎｔ　ｏｆ　ｔｈｅ　ｆｅｅｔ，ｂｏｄｙ　ａｎｄ　ｓｋｉｎ；ｍｅｄｉｃｉｎａｌ　ａｎｄ　ｔｈｅｒａｐｅｕｔｉｃ　ｐｒｅｐａｒａｔｉｏｎｓ　ａｎｄ　ａｄｄｉｔｉｖｅｓ　ｆｏｒ　ｔｈｅ　ｂａｔｈ　ｉｎ　ｔｈｅ　ｆｏｒｍ　ｏｆ　ｓａｌｔｓ，ｏｉｌｓ　ａｎｄ　ｓｏａｋｓ；ｓｏａｋｓ　ｉｎ　ｔｈｅ　ｆｏｒｍ　ｏｆ　ｔａｂｌｅｔｓ；ｍｅｄｉｃｉｎａｌ　ｌｉｑｕｉｄｓ　ｆｏｒ　ｍａｓｓａｇｉｎｇ；ｍｅｄｉｃａｔｅｄ　ｔｏｉｌｅｔ　ｐｒｅｐａｒａｔｉｏｎｓ；ｍｅｄｉｃａｔｅｄ　ｏｒ　ｔｈｅｒａｐｅｕｔｉｃ　ｐｒｅｐａｒａｔｉｏｎｓ　ｆｏｒ　ｔｈｅ　ｐｒｅｖｅｎｔｉｏｎ　ｏｆ　ｉｎｆｌａｍｍａｔｉｏｎ　ｏｆ　ｔｈｅ　ｔｏｅｓ　ａｎｄ　ｏｆ　ｔｈｅ　ｔｈｉｃｋｅｎｉｎｇ　ｏｆ　ｓｋｉｎ　ｃａｌｌｕｓｅｓ；ｐｒｅｐａｒａｔｉｏｎｓ　ｆｏｒ　ｃｕｒｉｎｇ　ｉｎｇｒｏｗｎ　ｔｏｅ　ｎａｉｌｓ；ｂｏｄｙ　ｐａｄｓ　ｉｎｃｌｕｄｉｎｇ　ｍｅｄｉｃｉｎｅｓ；ｓｈｏｅ　ｉｎｓｏｌｅｓ　ｉｎｃｌｕｄｉｎｇ　ｍｅｄｉｃｉｎｅｓ；ｍａｔｅｒｉａｌｓ　ｆｏｒ　ｄｒｅｓｓｉｎｇｓ，ｐｌａｓｔｅｒｓ，ｒｉｎｇ−ｓｈａｐｅｄ　ｐｌａｓｔｅｒ，ｒｉｎｇ−ｓｈａｐｅｄ　ｃｕｓｈｉｏｎ　ｆｏｒ　ｆｏｏｔ　ｃｏｒｎ，ａｄｈｅｓｉｖｅ　ｐｌａｓｔｅｒｓ，ｂａｎｄａｇｉｎｇ　ｍａｔｅｒｉａｌｓ，ｂａｎｄａｇｅｓ；ｍａｔｅｒｉａｌｓ　ｉｎｃｌｕｄｉｎｇ　ａｎｔｉｆｕｎｇａｌ　ｓｕｂｓｔａｎｃｅｓ；ｂｒｅａｓｔ−ｎｕｒｓｉｎｇ　ｐａｄｓ；ｄｉｓｉｎｆｅｃｔａｎｔ　ｐｒｅｐａｒａｔｉｏｎｓ，ａｎｔｉｓｅｐｔｉｃ　ｐｒｏｄｕｃｔｓ；ａｎｔｉ−ｆｕｎｇａｌ　ｓｕｂｓｔａｎｃｅｓ；ｂａｎｄａｇｅｓ　ｆｏｒ　ｗｏｕｎｄｓ．」、第１０類「Ｃｈｉｒｏｐｏｄｙ　ａｎｄ　ｆｏｏｔ　ｃａｒｅ　ａｐｐａｒａｔｕｓ　ａｎｄ　ｉｎｓｔｒｕｍｅｎｔｓ；ａｒｔｉｆｉｃｉａｌ　ｌｉｍｂｓ，ｅｙｅｓ　ａｎｄ　ｔｅｅｔｈ；ｍｅａｎｓ　ｆｏｒ　ｆｉｘｉｎｇ　ｏｆ　ａｒｔｉｆｉｃｉａｌ　ｌｉｍｂｓ；ｓｕｔｕｒｅ　ｍａｔｅｒｉａｌｓ；ｉｎｓｔｒｕｍｅｎｔｓ　ａｎｄ　ｅｑｕｉｐｍｅｎｔ　ｆｏｒ　ｏｒｔｈｏｐａｅｄｉｃｓ　ａｎｄ　ｆｏｒ　ｔｈｅ　ｔｒｅａｔｍｅｎｔ　ａｎｄ　ｃａｒｅ　ｏｆ　ｔｈｅ　ｆｅｅｔ　ａｎｄ　ｓｋｉｎ；ｃｕｓｈｉｏｎｓ　ｆｏｒ　ｃａｒｅ　ｏｆ　ｔｈｅ　ｆｅｅｔ；ａｉｄｓ　ｆｏｒ　ｔｈｅ　ｃｏｒｒｅｃｔｉｏｎ　ｏｆ　ｔｈｅ　ｆｅｅｔ　ｉｎｃｌｕｄｉｎｇ　ｓｕｐｐｏｒｔｓ　ｆｏｒ　ｔｈｅ　ａｒｃｈ　ｏｆ　ｔｈｅ　ｆｏｏｔ；ｍｅａｎｓ　ｆｏｒ　ｔｈｅ　ｓｅｐａｒａｔｉｏｎ　ａｎｄ　ｔｈｅ　ｓｔｒａｉｇｈｔｅｎｉｎｇ　ｏｆ　ｔｈｅ　ｔｏｅｓ；ｐｒｏｔｅｃｔｉｖｅ　ｍｅａｎｓ　ａｇａｉｎｓｔ　ｔｈｅ　ｈａｒｄｅｎｉｎｇ　ｏｆ　ａｒｅａｓ　ｏｆ　ｓｋｉｎ　ｃａｌｌｕｓｅｓ　ａｎｄ　ｉｎｆｌａｍｍａｔｉｏｎ　ｏｆ　ｔｈｅ　ｔｏｅｓ；ｐｒｏｔｅｃｔｉｏｎ　ｆｏｒ　ｍｅｔａｔａｒｓａｌｓ；ｂｏｏｔ　ｉｎｓｅｒｔｓ　ａｎｄ　ｆｏｏｔ　ｓｕｐｐｏｒｔｓ；ｏｒｔｈｏｐａｅｄｉｃ　ｉｎｓｏｌｅｓ，ｄｅｏｄｏｒｉｚｅｄ　ｉｎｓｏｌｅｓ　ｆｏｒ　ｏｒｔｈｏｐａｅｄｉｃ　ｆｏｏｔｗｅａｒ；ｃｏｍｐｒｅｓｓｉｏｎ　ｈｏｓｉｅｒｙ；ｇｒａｄｕａｔｅｄ　ｃｏｍｐｒｅｓｓｉｏｎ　ｈｏｓｉｅｒｙ；ｍｅｄｉｃａｌ　ｓｕｐｐｏｒｔ　ｈｏｓｉｅｒｙ；ｏｒｔｈｏｐａｅｄｉｃ　ａｎｄ　ｔｈｅｒａｐｅｕｔｉｃ　ｈｏｓｉｅｒｙ；ｈｏｓｉｅｒｙ　ｆｏｒ　ｍｅｄｉｃａｌ，ｓｕｒｇｉｃａｌ　ａｎｄ／ｏｒ　ｐｒｏｐｈｙｌａｃｔｉｃ　ｐｕｒｐｏｓｅｓ；ｍｅｄｉｃａｌ　ａｎｄ　ｓｕｒｇｉｃａｌ　ｓｏｃｋｓ；ｓｔｏｃｋｉｎｇｓ　ｆｏｒ　ｖａｒｉｃｏｓｅ　ｖｅｉｎｓ；ｍｅａｎｓ　ｆｏｒ　ｅｘｅｒｃｉｓｉｎｇ　ｔｈｅ　ｆｏｏｔ；ｏｒｔｈｏｐａｅｄｉｃ　ａｒｔｉｃｌｅｓ；ｉｎｓｔｒｕｍｅｎｔｓ　ａｎｄ　ａｐｐａｒａｔｕｓ　ｆｏｒ　ｐｌａｃｉｎｇ　ｂａｎｄａｇｅｓ；ｍｅａｎｓ　ｆｏｒ　ｔｈｅ　ｆｉｘｉｎｇ　ｏｆ　ｆｉｎｇｅｒｓ　ａｎｄ　ｔｏｅｓ；ｅｌａｓｔｉｃ　ｂａｎｄａｇｅｓ　ｆｏｒ　ｊｏｉｎｔｓ，ｅｌａｓｔｉｃ　ｇａｉｔｅｒｓ，ｅｌａｓｔｉｃ　ｋｎｅｅ−ｊｏｉｎｔｓ，ｅｌａｓｔｉｃ　ｂａｎｄａｇｅｓ，ｂａｎｄａｇｅｓ　ｆｏｒ　ｔｈｅ　ｗａｉｓｔ，ｂａｎｄａｇｅｓ　ｆｏｒ　ｏｒｔｈｏｐａｅｄｉｃ　ｐｕｒｐｏｓｅｓ；ｍｅａｎｓ　ｆｏｒ　ｅｘａｍｉｎｉｎｇ　ａｎｄ　ｔａｋｉｎｇ　ｉｍｐｒｅｓｓｉｏｎｓ　ｏｆ　ｔｈｅ　ｆｅｅｔ；ｂｏｄｙ　ｍａｓｓａｇｅｒｓ；ｔｈｅｒａｐｅｕｔｉｃ　ａｐｐａｒａｔｕｓ　ａｎｄ　ａｐｐｌｉａｎｃｅｓ　ｆｏｒ　ｍａｓｓａｇｉｎｇ　ａｎｄ／ｏｒ　ｂａｔｈｉｎｇ；ｃｕｓｈｉｏｎｓ　ｆｏｒ　ｈｅｅｌｓ　ｆｏｒ　ｍｅｄｉｃａｌ　ｕｓｅ；ｃｕｓｈｉｏｎｓ　ｏｆ　ｕｎｄｅｒ−ｈｅｅｌｓ　ｆｏｒ　ｍｅｄｉｃａｌ　ｕｓｅ；ｍｅｔａｔａｒｓａｌ　ｃｕｓｈｉｏｎｓ　ｆｏｒ　ｍｅｄｉｃａｌ　ｕｓｅ；ｓｈｏｅ　ｉｎｓｏｌｅｓ　ｆｏｒ　ｍｅｄｉｃａｌ　ｕｓｅ；ｄｉｓｐｏｓａｂｌｅ　ｓｈｏｅ　ｉｎｓｏｌｅｓ　ｆｏｒ　ｍｅｄｉｃａｌ　ｕｓｅ；ｅｓｔｈｅｔｉｃ　ｍａｓｓａｇｅ　ａｐｐａｒａｔｕｓ　ｆｏｒ　ｉｎｄｕｓｔｒｉａｌ　ｐｕｒｐｏｓｅｓ；ｍａｓｓａｇｅ　ａｐｐａｒａｔｕｓ［ｆｏｒ　ｍｅｄｉｃａｌ　ｐｕｒｐｏｓｅｓ］；ｍａｓｓａｇｉｎｇ　ｔｏｏｌｓ　ｆｏｒ　ｆｏｏｔ．」及び第２５類「Ｆｏｏｔｗｅａｒ；ｆｉｔｔｉｎｇｓ　ｆｏｒ　ｆｏｏｔｗｅａｒ，ｈｙｇｉｅｎｉｃ　ｆｏｏｔｗｅａｒ，ｉｎｃｌｕｄｉｎｇ　ｓｈｏｅｓ，ｓｌｉｐｐｅｒｓ，ｂｏｏｔｓ，ｓａｎｄａｌｓ，ｃｌｏｇｓ；ｌｏｎｇ　ａｎｄ　ｓｈｏｒｔ　ｓｔｏｃｋｉｎｇｓ；ｓｈｏｅ　ｓｏｌｅｓ；ｉｎｓｏｌｅｓ　ｆｏｒ　ｆｏｏｔｗｅａｒ；ｃｕｓｈｉｏｎｅｄ　ｉｎｓｏｌｅｓ　ｆｏｒ　ｆｏｏｔｗｅａｒ；ｈｏｓｉｅｒｙ．」と補正されたものである。
２　原査定において引用した商標
　原査定において、本願の拒絶の理由に引用した商標は以下のとおりである。
　（１）登録第４４４０８０号商標（以下「引用商標１」という。）は、別掲２のとおりの構成よりなり、昭和２８年４月３日に登録出願、第１類に属する商標登録原簿記載のとおりの商品を指定商品として、昭和２９年４月２３日に設定登録、その後、４回にわたり存続期間の更新登録がされ、さらに、平成１７年３月３０日に第３類及び第５類に属する商標登録原簿記載のとおりの指定商品に書換登録されたものである。
　（２）登録第４４８８６６号商標（以下「引用商標２」という。）は、別掲２のとおりの構成よりなり、昭和２８年４月３日に登録出願、第６１類に属する商標登録原簿記載のとおりの商品を指定商品として、昭和２９年７月２９日に設定登録、その後、４回にわたり存続期間の更新登録がされ、さらに、平成１７年９月２１日に第１８類及び第２５類に属する商標登録原簿記載のとおりの指定商品に書換登録されたものである。
　（３）登録第５４４５３０号商標（以下「引用商標３」という。）は、「スコール」と「ＳＵＫＯＨＬ」の文字を上下二段に書してなり、昭和３３年９月２７日に登録出願、第１類に属する商標登録原簿記載のとおりの商品を指定商品として、昭和３４年１１月２４日に設定登録、その後、３回にわたり存続期間の更新登録がされ、さらに、平成１１年１０月６日に第５類に属する商標登録原簿記載のとおりの指定商品に書換登録されたものである。
　（４）登録第１０２９０７９号商標（以下「引用商標４」という。）は、「スコール」と「ＳＫＯＡＬ」の文字を上下二段に書してなり、昭和４５年１２月２４日に登録出願、第１７類に属する商標登録原簿記載のとおりの商品を指定商品として、昭和４８年９月１日に設定登録、その後、３回にわたり存続期間の更新登録がされ、さらに、平成１６年４月１４日に第２５類に属する商標登録原簿記載のとおりの指定商品に書換登録されたものである。
　（５）登録第１１７５１６３号商標（以下「引用商標５」という。）は、別掲３のとおりの構成よりなり、昭和４８年５月２日に登録出願、第１３類に属する商標登録原簿記載のとおりの商品を指定商品として、昭和５０年１２月１８日に設定登録、その後、３回にわたり存続期間の更新登録がされ、さらに、平成１９年１月３１日に第３類及び第８類に属する商標登録原簿記載のとおりの指定商品に書換登録されたものである。
　（６）登録第１３９９３６６号商標（以下「引用商標６」という。）は、別掲３のとおりの構成よりなり、昭和４８年５月２日に登録出願、第４類に属する商標登録原簿記載のとおりの商品を指定商品として、昭和５４年１１月３０日に設定登録、その後、２回にわたり存続期間の更新登録がされたものである。
　（７）登録第１４９５７４１号商標（以下「引用商標７」という。）は、別掲４のとおりの構成よりなり、昭和５０年７月２８日に登録出願、第１類に属する商標登録原簿記載のとおりの商品を指定商品として、昭和５７年１月２９日に設定登録、その後、２回にわたり存続期間の更新登録がされ、さらに、平成１５年７月１６日に第５類及び第１０類に属する商標登録原簿記載のとおりの指定商品に書換登録されたものである。
　（８）登録第１７３５７０２号商標（以下「引用商標８」という。）は、「ＳＣＨＯＬＬ」の欧文字を書してなり、昭和５７年２月２７日に登録出願、第２２類に属する商標登録原簿記載のとおりの商品を指定商品として、昭和５９年１２月２０日に設定登録、その後、２回にわたり存続期間の更新登録がされ、さらに、平成１７年２月２日に第２５類に属する商標登録原簿記載のとおりの指定商品に書換登録されたものである。
　（９）登録第１７３５７０３号商標（以下「引用商標９」という。）は、黒色の横長の楕円形の図形中に、白抜き文字で「Ｓｃｈｏｌｌ」の欧文字を書してなり、昭和５７年２月２７日に登録出願、第２２類に属する商標登録原簿記載のとおりの商品を指定商品として、昭和５９年１２月２０日に設定登録、その後、２回にわたり存続期間の更新登録がされ、さらに、平成１７年２月９日に第２５類に属する商標登録原簿記載のとおりの指定商品に書換登録されたものである。
　（１０）登録第１９８９００５号商標（以下「引用商標１０」という。）は、「スコール」の片仮名文字を書してなり、昭和５９年４月１９日に登録出願、第４類に属する商標登録原簿記載のとおりの商品を指定商品として、昭和６２年１０月２７日に設定登録、その後、２回にわたり存続期間の更新登録がされ、さらに、平成２０年３月２６日に第３類に属する商標登録原簿記載のとおりの指定商品に書換登録されたものである。
　（１１）登録第２１２１３４０号商標（以下「引用商標１１」という。）は、「ショール」の片仮名文字を白抜き文字で書してなり、昭和６１年１２月１２日に登録出願、第１０類に属する商標登録原簿記載のとおりの商品を指定商品として、平成元年３月２７日に設定登録、その後、平成１１年２月９日に存続期間の更新登録がされたものである。
　（１２）登録第２１２１３４１号商標（以下「引用商標１２」という。）は、横長の楕円形の中に「ショール」の片仮名文字を白抜き文字で書してなり、昭和６１年１２月１２日に登録出願、第１０類に属する商標登録原簿記載のとおりの商品を指定商品として、平成元年３月２７日に設定登録、その後、平成１１年２月９日に存続期間の更新登録がされたものである。
　（１３）登録第２３７０７０５号商標（以下「引用商標１３」という。）は、別掲５のとおりの構成よりなり、平成元年６月２０日に登録出願、第２２類に属する商標登録原簿記載のとおりの商品を指定商品として、平成４年１月３１日に設定登録、その後、平成１３年１２月４日に存続期間の更新登録がされ、さらに、平成１５年３月２６日に第２１類、第２５類及び第２６類に属する商標登録原簿記載のとおりの指定商品に書換登録されたものである。
　（１４）登録第２３７０７０６号商標（以下「引用商標１４」という。）は、別掲６のとおりの構成よりなり、平成元年６月２０日に登録出願、第２２類に属する商標登録原簿記載のとおりの商品を指定商品として、平成４年１月３１日に設定登録、その後、平成１３年１２月４日に存続期間の更新登録がされ、さらに、平成１５年３月２６日に第２１類、第２５類及び第２６類に属する商標登録原簿記載のとおりの指定商品に書換登録されたものである。
　（１５）登録第３１８１７１６号商標（以下「引用商標１５」という。）は、「スコール」の片仮名文字を書してなり、平成５年３月２３日に登録出願、第９類に属する商標登録原簿記載のとおりの商品を指定商品として、平成８年７月３１日に設定登録されたものである。
　その後、商標権の存続期間満了により、平成１９年４月１８日にその登録の抹消がされたものである。
　（１６）登録第３２８１２８９号商標（以下「引用商標１６」という。）は、「ＳＣＯＬ」と「スコール」の文字を上下二段に書してなり、平成５年６月３０日に登録出願、第１０類に属する商標登録原簿記載のとおりの商品を指定商品として、平成９年４月１８日に設定登録、その後、平成１９年６月１２日に存続期間の更新登録がされたものである。
３　当審の判断
　本願商標と引用商標３、引用商標４、引用商標８ないし引用商標１２、引用商標１４及び引用商標１６（以下、これらをまとめていうときは「引用商標」という。）の類否について判断する。
　本願商標は、前記１に記載のとおりの構成よりなるところ、楕円形の図形の中に白抜き文字で「Ｓｃｈｏｌｌ」の文字を配してなるものであるから、その構成文字に相応して「ショール」、あるいは「スコール」の自然な称呼を生ずるものである。
　他方、引用商標８、引用商標９、引用商標１１、引用商標１２、引用商標１４は、前記２に記載のとおりの構成よりなるところ、それぞれその構成文字に相応して「ショール」の称呼を生ずるものである。
　また、引用商標３、引用商標４、引用商標８ないし引用商標１０、引用商標１６は、前記２に記載のとおりの構成よりなるところ、それぞれその構成文字に相応して「スコール」の称呼を生ずるものである。
　そして、本願商標と引用商標は、いずれも特定の観念を有しない造語よりなるものと認められるから、観念においては比較することができない。
　してみれば、本願商標と引用商標は、外観については差異が認められるとしても、両者とも「ショール」、あるいは「スコール」の称呼を共通にする類似の商標であって、かつ、指定商品においても同一又は類似のものである。
　したがって、本願商標が商標法第４項第１項第１１号に該当するとして本願を拒絶した原査定は、妥当であって、取り消すことはできない。
　なお、請求人は、審判請求書において、「引用商標を譲り受けるための準備をしているので、その結果が出るまで本件の審理を猶予願いたい。」、さらに、審尋に対する回答書において、「当該登録名義人の表示変更登録申請及び商標権移転登録申請を行いますので、審理の猶予を願いたい。」旨述べているところ、特定の登録名義人に関しては、審判請求時から未だ何等の手続もなされておらず、また、相当の期間が経過した現在においても、何等の状況説明もなされていないから、本件審判の審理を終結するものとする。
　よって、結論のとおり審決する。